(57)【要約】【課題】  倒伏時において、防水扉と出入口の間に形成される隙間を出来るだけ狭くして格納函への異物の侵入と人身事故を防止すると共に、防水扉の起立時にヒンジ側の防水扉の端部の水密性を上げる起伏式防水扉装置を提供する。【解決手段】  起伏式防水扉装置において、防水扉１に設けた取付部材４と格納函２に設けた用固定ベース６の入口側に傾斜部５，７を設け、前記防水扉１に設けた取付部材４と格納函２に設けたヒンジ固定ベース６をリンク８で連繋すると共に、防水扉１を倒伏した時に防水扉１の前部と後部を支持する支持部材１０，１２を設け、且つ前記支持部材１０にローラ１０’を設けると共に、防水扉１の前後に前縁部材１４と後縁部材１５を設ける。【選択図】  図１
2008063799.tif 000002
【特許請求の範囲】
【請求項１】
防水扉に設けた取付部材と格納函に設けたヒンジ用固定ベースの入口側に起立部に係合する傾斜部を設け、前記防水扉に設けた取付部材と前記ヒンジ用固定ベースをリンクで連繋すると共に、防水扉を倒伏した時に防水扉の前部と後部を支持する支持部材を設けたことを特徴とする起伏式防水扉装置。
【請求項２】
前記防水扉の前部に設けた支持部材上に防水扉を支持するローラを回動自在に設けたことを特徴とする請求項１記載の起伏式防水扉装置。
【発明の詳細な説明】
【技術分野】
【０００１】
本発明は、水害時において、建築物、或いは地下駐車場等の入り口や道路に、浸水防止のために設置される起伏式防水扉装置に関するものである。
【背景技術】
【０００２】
豪雨等の水害時において、浸水が予測される建築物、或いは地下駐車場等の出入り口や道路には浸水を防止するための防水扉が設けられており、防水扉の種類としては主として挿し込み式のもと、スライド式のものと、起伏式のものとが用いられている。
【０００３】
この中、起伏式のものは、ビルディング玄関等の美観保持が要求される箇所に設置されることが多いため、防水扉の起伏は、手動またはエアシリンダーやオイルシリンダーを用いたもの、或いは歯車装置等が用いられている。
【０００４】
しかし特許文献１や２に記載される図面に示すように、従来の起伏式防水扉装置は防水扉が枢動起立のため、倒伏された状態において、出入り口と防水扉の間に僅かな隙間が生じており、この隙間から異物が格納函内に侵入して防水扉の駆動の障害となったり、通行人が足を引っ掛けたり、或いは子供が隙間に手を入れたりして怪我をする等の虞れがあった。
【０００５】
また、起伏のための駆動装置は起伏扉の中央部分に設置され、ヒンジを軸に防水扉を起伏させて起伏扉を戸当りに押圧させて水密性を保持するが、水圧は扉体の中央部に比べ扉体の端部は弱く、また構造上ヒンジ部分に力が掛かるため、起立させた時に防水扉体の下部の水密性が弱くなるという問題があった。
【特許文献１】特開平９−１７０３８２号公報
【特許文献２】特開平１１−２９４０２６号公報
【発明の開示】
【発明が解決しようとする課題】
【０００６】
そこで本発明は、倒伏時において、防水扉と出入り口の間に形成される隙間を狭くして異物の侵入と事故を防止すると共に、防水扉の起立時にヒンジ側の防水扉の端部の水密性を上げる起伏式防水扉装置を提供することを課題とするものである。  
【課題を解決するための手段】
【０００７】
本発明は上記の課題を解決するためになされたもので、第１の発明は防水扉に設けた取付部材と格納函に設けたヒンジ用固定ベースの出入口側に起立時に係合する傾斜部を設け、前記防水扉に設けた取付部材と前記ヒンジ用固定ベースをリンクで連繋すると共に、防水扉を倒伏した時に防水扉の前部と後部を支持する支持部材を設けたことを特徴とする起伏式防水扉装置である。
【０００８】
第２の発明は、第１の発明において前記防水扉の前部に設けた支持部材上に防水扉を支持するローラを設けたことを特徴とする起伏式防水扉装置である。
【発明の効果】
【０００９】
上記、第１の発明によれば、防水扉に設けた取付部材と格納函内に設けた、ヒンジ用固定ベースをリンクを介して連繋し、防水扉を倒伏させる際には、防水扉を戸当て側から離れるように後退させつつ回動させるようにし、倒伏時には防水扉と出入口の隙間を出来るだけ狭くなるように構成したので、防水扉と出入り口間の隙間の問題を解消すると共に、防水扉の起立時に防水扉に設けた取付部材と、格納函内に設けたヒンジ部用固定ベースに設けた傾斜部が係合するように構成させられているので、楔作用により防水扉を戸当方向に押圧する力がかかるため、防水扉のヒンジ側端部の水密性が増す効果がある。
【００１０】
また、第２の発明によれば、防水扉の起伏時にローラにより水平方向に滑らかに移動することが出来ると共に、駆動時の防水扉と格納函の擦過音を軽減することができる。
【実施例１】
【００１１】
図１は本発明の一実施例の起伏式防水扉装置における防水扉の倒伏時の一部截断側面図、図２はその平面図、図３は起立時の一部截断側面図で、１は防水扉、２は格納函、３は戸当りである。４は防水扉１に設けた取付部材で、出入口側に傾斜部５が設けられていて、楔状になっている。６は格納函２に設けられた出入口側に傾斜部７を備えたヒンジ用固定ベース、８は両端をヒンジ部４，６に枢着したリンク、９はヒンジ用固定ベース６に設けられたストッパー、１０’は支持部材１０に設けたナイロン製のローラ、１１は防水扉１の下面に設けた前記ローラの受部、１２は上部にゴム板１２’が設けられている防水扉１の支持部材、１３は戸当りに設けられたＵ字状のゴムパッキン、１４，１５は防水扉の両端部に設けられた前縁部材と後縁部材で、前縁部材１４は前記のゴムパッキン１３とは接触しないように形成され、後縁部材１５は、倒伏時に格納函２の後縁上に乗るように構成されている。１６は格納函２に設けた防水扉起立時のストッパーである。なお、起伏のための駆動装置は公知ものを使用し、ここでは省略し図示しない。
【００１２】
図４〜図７は前記実施例１の倒伏状態から起立状態までの起伏式防水扉装置のヒンジ部の挙動を示す動作説明図である。
【００１３】
以下、実施例１の起伏式防水扉装置の倒伏状態から起立状態までの動作を図４〜図７を用いて順次説明する。
【００１４】
先ず、倒伏状態から起立状態までの動作においては、図４に示す倒伏状態から図５に示すように防水扉１が持ち上げられ、戸当り３から離れる方向にストッパー９に係止されるまで図において、右方向に移動する。
【００１５】
このため、防止扉１は前縁部材１４を格納函２に接触させずに起立動作をすることが出来る。
【００１６】
次に、図６に示すようにリンク８の枢軸１７を軸にして防水扉１が回動し、次いで図７に示すようにリンク８の枢軸１８を軸にして防水扉１は回動し、ゴムパッキン１３を戸当り３の方向に押圧しながら取付部材４と固定ベース６の傾斜部５と７が接触して防水扉１は起立状態となる。
【００１７】
このとき、防水扉１に設けた取付部材４が、格納函２に設けられた固定ベース６とゴムパッキン１３間に割り込まないようになるため、防水扉１を戸当て方向に押圧し、防水扉１と戸当り３の水密性が向上することとなる。なお、ストッパー１６は必要以上の割り込みを防止する効果がある。
【００１８】
起立状態から倒伏状態までの動作は、前記図４〜図７に示す順序を逆にしたもので、図７から図６に示すように先ずリンク８の枢軸１８を軸にストッパー９にリンク８が当接するまで防水扉１が回動し、次にリンク８の枢軸１７を軸に受部１１がローラ１０に当接するまで回動し、次に防水扉１を戸当り方向に移動して、ローラ１０’を付した支持部材１０と支持部材１２により防水扉１を支持し、図４の倒伏状態になる。
【００１９】
この動作においては、ローラ１０’により防水扉１が滑らかに戸当り方向へ移動し、またローラ１０’と支持部材１２のゴム板１２’により、衝撃音や擦過音が少なく、倒伏がスムーズに行え、また防水扉１が反出入口側に後退してから出入口側へ移動させ乍ら起立させる動作においても前縁部材１４が格納函２に接触することなく起伏動作を行うことが出来る。
【図面の簡単な説明】
【００２０】
【図１】本発明の一実施例の倒伏状態を示す一部截断側面図。
【図２】本発明の一実施例の平面図。
【図３】本発明の一実施例の起立状態を示す一部截断側面図。
【図４】本発明の一実施例の倒伏状態を示す概略動作説明図。
【図５】本発明の一実施例の概略動作説明図。
【図６】本発明の一実施例の概略動作説明図。
【図７】本発明の一実施例の起立状態を示す概略動作説明図。
【符号の説明】
【００２１】
１            防水扉
２            格納函
３            戸当り
４            取付部材
５，７        傾斜部
６            固定ベース
８            リンク
９，１６      ストッパー
１０          支持部材
１０’        ローラ
１１          受部
１２          支持部材
１３          ゴムパッキン
１４          前縁部材
１５          後縁部材
１７，１８    枢軸
【図１】
2008063799.tif 000003
【図２】
2008063799.tif 000004
【図３】
2008063799.tif 000005
【図４】
2008063799.tif 000006
【図５】
2008063799.tif 000007
【図６】
2008063799.tif 000008
【図７】
2008063799.tif 000009